(57)【要約】      （修正有）【課題】バストを締め付けずに乳房形状にフィットし、動いたときにもバストの上下左右への揺れを防止するハーフトップを提供する。【解決手段】ハーフトップは、前見頃の襟刳沿いに襟刳下端で交叉するパイピングテープを設けた点と、ハーフトップ前身頃裏面に、個々の乳房の揺れをそれぞれ吸収できるような第一及び第二の支持部材１７，２０によって、バストパッド１３を前身頃裏面に保持することにより、バストの揺れを吸収する構成とした。【選択図】図３
0003159452.tif 000002
【実用新案登録請求の範囲】
【請求項１】
前身頃中央布、前身頃中央布の両側に接合された脇下布、前身頃襟刳下に形成される三角形状前布及びウエスト部に設けられる土台布を有する前身頃と、前身頃上部と脇下で前身頃に接合し土台布を設けた後身頃とよりなるハーフトップであって、前身頃中央布襟刳線が左右襟刳上端より前身頃中央布下方に向かいＶ字状に切れ込む形状をなし、該前身頃中央布襟刳線に沿い襟刳線下端でＸ字状に交差して前記前身頃襟刳下に形成される三角形状前布を囲み、土台布まで延びる伸縮性テープを設けてなるハーフトップ。
【請求項２】
前記前身頃裏面に設けられるバストパッドは、前身頃裏面において、左右のバストパッド外側上縁が前身頃袖刳線の一部に沿って前身頃に縫着されると共に、伸縮性テープが交差する部分より下方でバストパッドの一部が前身頃に固定され、一方、該左右バストパッドの襟刳側上縁は、前身頃肩部下方より前身頃襟刳線に沿い、伸縮性テープが交差する部分の下方まで延びる伸縮性の大きい第一の支持部材を介して、左右のバストパッド襟側上縁が前身頃襟刳に沿って支持されていることを特徴とする請求項１に記載のハーフトップ。
【請求項３】
ハーフトップ前身頃の裏面に設けられる左右バストパッド下辺が、伸縮性の大きい第二の支持部材を介して土台布に支持されている請求項２に記載のハーフトップ。
【請求項４】
前記伸縮性の大きい第一の支持部材及び第二の支持部材が、伸縮性編地で形成されることを特徴とする請求項２又は請求項３に記載のハーフトップ。 
【考案の詳細な説明】
【技術分野】
【０００１】
本考案は、身体を締め付けずソフトな着心地であり、身体を動かした際にバスト上部の丸みをつぶすことなくバストの揺れを防止し、良好なバストのホールド感を達成するハーフトップに関する。
【背景技術】
【０００２】
従来、女性身体の補整成形を目的としてブラジャー、ガードル、ボディスーツ等の種々の衣類が考案され、使用されている。乳房を保持し、胸部を美しく整えるために種々の形状のブラジャーが提案されているが、近年、補整効果のみならず、着用時の装着感の向上が求められるようになり、胸部カップの下方にワイヤー等の補整材を挿入せずに乳房の成形効果を高める工夫が多々なされている。更に、下着としてのみでなく、着用時の美観を高め、フィットネス用上衣としても使用可能なハーフトップが望まれている。
【０００３】
ハーフトップ下着として弾性糸を主とする一体のプレーティング編み筒型編地よりなり、編目によって伸縮性を部分的に持たせたもの（特許文献１参照）、構成素材にカービングゴムを用いたスポーツブラジャー（特許文献２参照）、カップ部を上カップ部と下カップ部とで形成し、下カップ部のみを複数に分割したスポーツ用ブラジャーも提案されている（特許文献３参照）。
【先行技術文献】
【特許文献】
【０００４】
【特許文献１】実用新案登録第３１１０５０４号公報
【特許文献２】特開２０００−２２００５号公報
【特許文献３】特開２００９−１３３０２７号公報
【考案の開示】
【考案が解決しようとする課題】
【０００５】
従来のハーフトップは、バストを締めつけずソフトな着心地であるが、動いたときにバストが揺れてホールド感に乏しく、外観上も好ましくないという欠点があった。本考案はバストを締め付けずに乳房形状にフィットして装着性に勝れ、しかもバスト上部の丸みをつぶさずにホールドし、かつ、動いたときにもバストの上下左右への揺れを防止する機能を有するハーフトップを提供することを目的とする。
【課題を解決するための手段】
【０００６】
本考案の請求項１に記載のハーフトップは、  前身頃中央布、前身頃中央布の両側に接合された脇下布、前身頃襟刳下に形成される三角形状前布及びウエスト部に設けられる土台布を有する前身頃と、前身頃上端と脇下布脇下線で前身頃に接合し土台布を設けた後身頃とよりなるハーフトップであって、前身頃中央布襟刳線が左右襟刳上端より前身頃中央布下方に向かいＶ字状に切れ込む形状をなし、該前身頃中央布襟刳線に沿い襟刳線下端でＸ字状に交差して前記前身頃襟刳下に形成される三角形状前布を囲み、土台布まで延びる伸縮性テープを設けてなるハーフトップであり、襟刳線に沿って設けた伸縮性テープが、前身頃の浮き上がりを防止し、美観を呈する形状を有する。  
【０００７】
本考案の請求項２に記載のハーフトップは、  前記前身頃裏面に設けられるバストパッドは、前身頃裏面において、左右のバストパッド外側上縁が前身頃袖刳線の一部に沿って前身頃に縫着されると共に、伸縮性テープが交差する部分より下方でバストパッドの一部が前身頃に固定され、一方、該左右バストパッドの襟刳側上縁は、前身頃肩部下方より前身頃襟刳線に沿い、伸縮性テープが交差する部分の下方まで延びる伸縮性の大きい第一の支持部材を介して、左右のバストパッド襟側上縁が前身頃襟刳に沿って支持されていることを特徴とする請求項１に記載のハーフトップであって、伸縮性の大きい支持部材により左右バストの揺れを防止するものである。
【０００８】
本考案の請求項３に記載のハーフトップは、  ハーフトップ前身頃の裏面に設けられる左右バストパッド下辺が、伸縮性の大きい第二の支持部材を介して土台布に支持されている。
本考案の請求項４に記載のハーフトップにおいては、伸縮性の大きい支持部材が伸縮性編地で形成される。
【考案の効果】
【０００９】
本考案のハーフトップは、前身頃の襟刳線が左右カップ間にＶ字状に切れ込む形状をなし、左右肩線より前身頃襟刳線に沿って乳房中央でクロスして土台布まで延びる伸縮性テープを設けているので、ハーフトップ襟端が胸に密着し、美観を高めることが出来る。  更に、左右カップ部のパッドがハーフトップ前身頃の裏面に前身頃地と独立した動きが可能なように、縫着部位を工夫して伸縮性の大きい素材を使用してバストパッドを保持し、左右バストの動きを独立して吸収するように形成しているのでバストの丸みをつぶすことなく、左右それぞれのバストの動きに追従でき、ホールド感が良好であり、バストの左右の揺れを抑えることができる。
【図面の簡単な説明】
【００１０】
【図１】本考案ハーフトップの第一の実施例を示す正面図である。
【図２】図１に示した本考案ハーフトップの背面図である。
【図３】図３は、図１に示したハーフトップ正面図を裏側から示した説明図である。
【図４】図１に示したハーフトップの下端を長くし、腹部を覆うようにしたハーフトップの応用例を示す。
【００１１】
本考案のハーフトップを図面によって説明する。
図１に示すハーフトップにおいて、前身頃１は、左右前身頃中央布２，２、前身頃中央布２,２の左右にバストの膨らみを形成しながら縫合６される脇下布３，３、前身頃１の襟刳下に形成される三角形状前布４、及びハーフトップウエスト部に設けられる土台布５とよりなる。左右前身頃中央布２，２に肩部７，７から前身頃中央布２の下方に向かいＶ字状に切れ込む形状をなす襟刳線８，８を設け、襟刳線８，８に沿い襟刳線下端でＸ字状に交叉９して土台布５まで延びる二本の伸縮性テープ１０，１０が襟刳線８，８と三角形状前布４の二等辺１１，１１に縫着される。
本考案ハーフトップは、好ましくは各部位に伸縮性を有する素材を使用する。
【００１２】
伸縮性テープ１０は、弾性を有し一定の幅を有するゴムを使用することが望ましい。伸縮性テープ１０，１０は、襟刳におけるハーフトップ前身頃１の身体からの浮き上がりを防止し、首筋を美しく見せる効果がある。伸縮性テープ１０は、その一端もしくは両端において左右前身頃中央布２の襟刳線８，８に沿ってハーフトップ前身頃１に縫着される。  後身頃１２は、従来のハーフトップと同様に伸縮性生地を用い、肩部７，７、脇下
において前身頃１の脇下布３，３に連続して、又は別布として形成し、前身頃１に縫合される。後身頃１２下端には前身頃１に連続した、または縫合した伸縮性地または伸縮性ベルトよりなる土台布５が結合される。
【００１３】
図１に示したハーフトップにおいては、肩部７、７より左右前身頃中央布２，２が形成されているが、左右前身頃中央布２，２の上部を図１のハーフトップより短く形成し、伸縮性テープが縫着された前身頃中央布上端に肩紐を設け、常法により肩紐を後身頃に縫合したストラップ型のハーフトップとすることもできる。
【００１４】
本考案の特徴は、前身頃１の肩部７，７より襟刳線８，８沿いに縫着され、襟刳の下端で交叉９する伸縮性テープ１０，１０を設けた点と、乳房の揺れを吸収できる構造をハーフトップ前身頃１の裏面に設けた点にある。上記のように、伸縮性テープ１０，１０は、襟刳におけるハーフトップ前身頃１の身体からの浮き上がりを防止し、上胸部分においてハーフトップの襟繰りを身体に密着させ、更に首筋を美しく見せる効果がある。
【００１５】
以下において、前身頃１の裏面構成について図３を参照して説明する。
ハーフトップ前身頃１の左右それぞれの乳房を覆う部分に該当する左右前身頃中央布２，２及び脇下布３,３の裏面にはバストパッド１３，１３が設けられる。バストパッド１３，１３は、通常用いられている凸状カップであって、成形または縫製によって凸状に形成されていて、必要に応じて前身頃中央布２,２の縫合線６に縫着して形成することが出来る。バストパッド１３，１３の袖刳側上縁１４は、ハーフトップ前身頃１の左右前身頃脇下布３によって形成される前身頃袖刳線１５に沿って前身頃脇布３の裏面に縫着される。一方、バストパッド１３，１３の襟刳側上縁１６、１６は、緊締力の非常に大きい第一の支持部材１７、１７を介して前身頃襟刳８に支持される。即ち、第一の支持部材１７は、上端１８が前身頃１の裏側で肩部７，７よりやや下方から伸縮性テープ１０の縫着された襟刳線８に沿って伸縮性テープ１０の交叉部９下方まで延びて襟刳線８に縫着されると共に、前身頃中央布２裏側の袖刳線１５の一部に縫合された構造をなしている。バストパッド１３は、第一の支持部材１７と接する部分即ち、バストパッド襟刳側上縁１６において第一の支持部材１７に保持され、バストパッド１３の袖刳側上縁１４は、ハーフトップ前身頃１の左右前身頃脇下布３によって形成される前身頃袖刳線１５に沿って前身頃裏面に縫着される。上記のように、バストパッド１３、１３は前身頃１の左右それぞれの乳房を覆う部分に該当する左右前身頃裏側に支持されているが、前身頃の布地と遊離した状態で前身頃裏面に保持される。
【００１６】
バストパッド１３，１３の下縁１９は、前身頃中央布２の裏側に縫着してもよいが、更に好ましくは襟刳下端に形成される三角形状前布４の両側の脇下布３，３の裏側において、バストパッド１３，１３の下縁１９と土台布５との間に緊締力の大きい編地よりなる第二の支持部材２０を介して前身頃表布とは遊離した状態で土台布５に縫着することができる。この第二の支持部材２０により、さらにバストパッド１３、１３の動きを制御する構造とすることができる。第一の支持部材１７、第二の支持部材２０は、伸縮性の大きい編地により形成することが好ましい。
【００１７】
上記のようにハーフトップを構成することによって、左右のバストパッド１３，１３は、パッドの上辺に設けられた伸縮性に富んだ第一の支持部材１７を介して左右別々に運動可能に縫着されていることにより、バストの丸みをつぶさずにバストをホールドする事が出来、バストの揺れが大きい場合も、揺れを分散して個々のバストの動きに追従させ、バスト全体が一様に揺れ動くことがないようにすることができた。更に、バストパッド１３，１３の下方を支持する第二の支持部材２０を設けることにより、バストの左右上下の揺れをより独立して緩和し、着心地と、外観の向上に寄与することが出来た。
【００１８】
伸縮性テープ１０は、弾性を有し一定の幅を有するパイピングゴムを使用することが望ましい。伸縮性テープ１０、１０は、襟刳におけるハーフトップ前見頃の身体からの浮き上がりを防止し、首筋を美しく見せる効果がある。伸縮性テープ１０は、その一端もしくは両端において左右前身頃中央布の襟刳線８，８にそってハーフトップ前身頃１に逢着される。後身頃１２は、従来のハーフトップと同様に伸縮性生地を用い、肩部７，７及び脇下において前身頃の脇下布３，３に連続し、又は別布として形成し、前身頃１に縫合される。後身頃下端には、前身頃１に連続した、又は縫合した伸縮性生地または伸縮性ベルトよりなる土台布５が結合される。
【００１９】
更に、ハーフトップの着丈を長くして、キャミソール状の形状に構成することもできる。
本考案ハーフトップの着丈を長くした例を図４に示す。この実施例においては、前身頃及び後身頃上半身の構成は、前記実施例と同様であるが、バスト下部２１には身体に沿って若干上方に向けてカーブさせて伸縮性ゴム２２を縫い込むことが好ましい。また、前身頃中央布２，２脇下布３，３は、ウエスト部を越えて腰部に至るが、この部分には横方向に伸縮性を有するツーウエイ生地を使用することが好ましい。
【産業上の利用可能性】
【００２０】
本考案のハーフトップは、伸縮性テープにより襟刳部をひきしめると共に、左右個々の乳房形状にフィットする装着性に勝れ、バスト上部の丸みをつぶさずホールドし、特に左右バストの揺れを防止することが出来る。
【符号の説明】
【００２１】
１    ハーフトップ前身頃
２    前身頃中央布
３    脇下布
４    三角形状前布
５    土台布
６    縫合線
７    肩部
８    襟刳線
９    交叉部
１０    伸縮性テープ
１１  三角形状前布二等辺
１２  後身頃
１３  バストパッド
１４  バストパッド袖刳側上縁
１５  前身頃袖刳
１６  バストパッド襟刳側上縁
１７  第一の支持部材
１８  支持部材上端
１９  バストパッド下縁
２０  第二の支持部材
２１  バスト下部
２２  伸縮性ゴム
【図１】
0003159452.tif 000003
【図２】
0003159452.tif 000004
【図３】
0003159452.tif 000005
【図４】
0003159452.tif 000006